(57)【要約】  商品の購入等のために複数のユーザが連携して情報を送信する技術を提供する。このため、サーバと複数の端末とがネットワークを介して接続し、前記第一の端末が、サーバから入力フォームを受信し、ユーザの操作に応じて前記入力フォームに入力情報を入力し、前記入力フォームの少なくとも一部を第二の端末に転送し、前記入力フォームに対する入力情報を前記第二の端末から受信し、前記第二の端末から受信した入力情報及び前記ユーザの操作に応じた入力情報を前記入力フォームに対する入力情報として前記サーバに送信する一方、前記サーバが、前記第一の端末に入力フォームを送信し、前記第一の端末からの入力情報を受信する。
2009066394.tif 000002
【特許請求の範囲】
【請求項１】
サーバと複数の端末とがネットワークを介して接続したシステムであって、
第一の端末が、
サーバから入力フォームを受信する受信部と、
ユーザの操作に応じて前記入力フォームに入力情報を入力する入力部と、
前記入力フォームの少なくとも一部を第二の端末に転送する転送部と、
前記入力フォームに対する入力情報を前記第二の端末から受信する再受信部と、
前記第二の端末から受信した入力情報及び前記ユーザの操作に応じた入力情報を前記入力フォームに対する入力情報として前記サーバに送信する送信部と、を備え、
前記サーバが、
前記第一の端末に入力フォームを送信する送信部と、
前記第一の端末からの入力情報を受信する受信部と、
を備えた送信情報の連携システム。
【請求項２】
前記サーバが、前記入力フォームとしての商品の購入フォームに対する入力情報を該商品の発注情報として記憶する記憶部を更に備え、
前記第一の端末から該商品の購入フォームの転送を通知された場合、当該商品の予約フラグを前記記憶部に記憶させる請求項１に記載の送信情報の連携システム。
【請求項３】
前記サーバが、前記第一の端末から前記入力フォームの転送を通知された場合、該入力フォームの少なくとも一部に対する入力情報の送信先を当該端末宛てに変換する変換部を更に備え、
前記サーバの送信部が、変換された入力フォームを前記通知元の端末に送信し、該通知元の端末が前記変換された入力フォームを受信して前記第二の端末へ転送する請求項１又は２に記載の送信情報の連携システム。
【請求項４】
前記第一の端末が、前記入力フォームの少なくとも一部に対する入力情報の送信先を自端末宛てに変換する変換部を更に備え、
変換された入力フォームを前記第二の端末へ転送する請求項１又は２に記載の送信情報の連携システム。
【請求項５】
前記変換部が、前記入力フォームを変換する際、ユーザが選択した部分を抽出して変換、又はユーザが選択した部分を削除して変換する請求項３又は４に記載の送信情報の連携システム。
【請求項６】
前記サーバの送信部が、前記入力フォームと共に、入力情報の暗号化の為の鍵情報を送信する請求項１から５の何れか１項に記載の送信情報の連携システム。
【請求項７】
サーバと複数の端末とがネットワークを介して接続したシステムが実行する方法であって、
前記第一の端末が、
サーバから入力フォームを受信するステップと、
ユーザの操作に応じて前記入力フォームに入力情報を入力するステップと、
前記入力フォームの少なくとも一部を第二の端末に転送するステップと、
前記入力フォームに対する入力情報を前記第二の端末から受信するステップと、
前記第二の端末から受信した入力情報及び前記ユーザの操作に応じた入力情報を前記入力フォームに対する入力情報として前記サーバに送信するステップとを実行し、
前記サーバが、
前記第一の端末に入力フォームを送信するステップと、
前記第一の端末からの入力情報を受信するステップと、
を実行する送信情報の連携方法。
【請求項８】
前記サーバが、前記入力フォームとしての商品の購入フォームに対する入力情報を該商品の発注情報として記憶する記憶部を更に備え、
前記第一の端末から該商品の購入フォームの転送を通知された場合、当該商品の予約フラグを前記記憶部に記憶させる請求項７に記載の送信情報の連携方法。
【請求項９】
前記サーバが、前記第一の端末から前記入力フォームの転送を通知された場合、該入力フォームの少なくとも一部に対する入力情報の送信先を当該端末宛てに変換し、変換された入力フォームを前記通知元の端末に送信し、
該通知元の端末が前記変換された入力フォームを受信して前記第二の端末へ転送する請求項７又は８に記載の送信情報の連携方法。
【請求項１０】
前記第一の端末が、前記入力フォームの少なくとも一部に対する入力情報の送信先を自端末宛てに変換し、
変換された入力フォームを前記第二の端末へ転送する請求項７又は８に記載の送信情報の連携方法。
【請求項１１】
前記入力フォームを変換する際、ユーザが選択した部分を抽出して変換、又はユーザが選択した部分を削除して変換する請求項８又は９に記載の送信情報の連携方法。
【請求項１２】
前記入力フォームと共に、入力情報の暗号化の為の鍵情報を送信する請求項７から１１の何れか１項に記載の送信情報の連携方法。
【請求項１３】
ネットワークを介してサーバと接続して送信情報の連携システムを構成する端末であって、
サーバから入力フォームを受信する受信部と、
ユーザの操作に応じて前記入力フォームに入力情報を入力する入力部と、
前記入力フォームの少なくとも一部を他の端末に転送する転送部と、
前記入力フォームに対する入力情報を前記他の端末から受信する再受信部と、
前記他の端末から受信した入力情報及び前記ユーザの操作に応じた入力情報を前記入力フォームに対する入力情報として前記サーバに送信する送信部と、
を備える端末。
【請求項１４】
ネットワークを介してサーバと接続して送信情報の連携システムを構成する端末にて運用されるプログラムであって、
サーバから入力フォームを受信するステップと、
ユーザの操作に応じて前記入力フォームに入力情報を入力するステップと、
前記入力フォームの少なくとも一部を他の端末に転送するステップと、
前記入力フォームに対する入力情報を前記他の端末から受信するステップと、
前記他の端末から受信した入力情報及び前記ユーザの操作に応じた入力情報を前記入力フォームに対する入力情報として前記サーバに送信するステップと、
を前記端末に実行させるプログラム。
【発明の詳細な説明】
【技術分野】
【０００１】
本発明は、インターネット等の通信ネットワークを介したオンラインショッピング等において情報を連携して送信する技術に関する。
【背景技術】
【０００２】
近年、インターネットを介して各種の商品を販売するオンラインショップ（仮想店舗）が、広く利用されている。
このオンラインショップ側のサーバ（ウエブサーバ）と、商品の購入申込を行う顧客側の端末との間でインターネットを介して双方向通信を行なう電子商取引は、自宅等の端末から何時でも自由に所望する商品を購入することができ、急速に普及している。【０００３】
また、本願発明に関連する先行技術として、例えば、下記の特許文献１−３に開示される技術がある。
【特許文献１】特開２００１−３３３４１１号公報
【特許文献２】特開２００２−２３２８６１号公報
【特許文献３】特表２００３−５１６０４５号公報
【発明の開示】
【発明が解決しようとする課題】
【０００４】
しかし、ユーザは、商品の送り先や、氏名、電話番号、決済方法など、多くの情報をオンラインショップに送信しなければならず、入力作業が煩雑であった。
特に、プレゼントを送る際、送り先、即ちプレゼントを送られるユーザの住所や、商品の色・柄などの情報は、送られるユーザに入力して欲しい場合があった。
また、共同購入や、他の人のアドバイスを受けながらＢＴＯ（build to order）する等、複数のユーザで相談しながら購入したい場合があったが、従来のオンラインショップでは、複数のユーザがそれぞれ別の端末から入力して、一回の注文を行うことは出来なかった。【０００５】
そこで本発明は、商品の購入等のために複数のユーザが連携して情報を送信する技術を提供する。
【課題を解決するための手段】
【０００６】
上記課題を解決するため、本発明は、以下の構成を採用した。
即ち、本発明の送信情報の連携システムは、
サーバと複数の端末とがネットワークを介して接続したシステムであって、
第一の端末が、
サーバから入力フォームを受信する受信部と、
ユーザの操作に応じて前記入力フォームに入力情報を入力する入力部と、
前記入力フォームの少なくとも一部を第二の端末に転送する転送部と、
前記入力フォームに対する入力情報を前記第二の端末から受信する再受信部と、
前記第二の端末から受信した入力情報及び前記ユーザの操作に応じた入力情報を前記入力フォームに対する入力情報として前記サーバに送信する送信部と、を備え、
前記サーバが、
前記第一の端末に入力フォームを送信する送信部と、
前記第一の端末からの入力情報を受信する受信部と、を備えた。【０００７】
前記サーバが、前記入力フォームとしての商品の購入フォームに対する入力情報を該商品の発注情報として記憶する記憶部を更に備え、前記第一の端末から該商品の購入フォームの転送を通知された場合、当該商品の予約フラグを前記記憶部に記憶させても良い。【０００８】
前記サーバが、前記第一の端末から前記入力フォームの転送を通知された場合、該入力フォームの少なくとも一部に対する入力情報の送信先を当該端末宛てに変換する変換部を更に備え、前記サーバの送信部が、変換された入力フォームを前記通知元の端末に送信し、該通知元の端末が前記変換された入力フォームを受信して前記第二の端末へ転送しても良い。【０００９】
前記第一の端末が、前記入力フォームの少なくとも一部に対する入力情報の送信先を自端末宛てに変換する変換部を更に備え、変換された入力フォームを前記第二の端末へ転送しても良い。【００１０】
前記変換部は、前記入力フォームを変換する際、ユーザが選択した部分を抽出して変換、又はユーザが選択した部分を削除して変換しても良い。【００１１】
前記サーバの送信部は、前記入力フォームと共に、入力情報の暗号化の為の鍵情報を送信しても良い。【００１２】
また、本発明の送信情報の連携方法は、サーバと複数の端末とがネットワークを介して接続したシステムが実行する方法であって、
前記第一の端末が、
サーバから入力フォームを受信するステップと、
ユーザの操作に応じて前記入力フォームに入力情報を入力するステップと、
前記入力フォームの少なくとも一部を第二の端末に転送するステップと、
前記入力フォームに対する入力情報を前記第二の端末から受信するステップと、
前記第二の端末から受信した入力情報及び前記ユーザの操作に応じた入力情報を前記入力フォームに対する入力情報として前記サーバに送信するステップとを実行し、
前記サーバが、
前記第一の端末に入力フォームを送信するステップと、
前記第一の端末からの入力情報を受信するステップと、を実行する。【００１３】
前記送信情報の連携方法において、前記サーバが、前記入力フォームとしての商品の購入フォームに対する入力情報を該商品の発注情報として記憶する記憶部を更に備え、
前記第一の端末から該商品の購入フォームの転送を通知された場合、当該商品の予約フラグを前記記憶部に記憶させても良い。【００１４】
前記送信情報の連携方法において、前記サーバが、前記第一の端末から前記入力フォームの転送を通知された場合、該入力フォームの少なくとも一部に対する入力情報の送信先を当該端末宛てに変換し、変換された入力フォームを前記通知元の端末に送信し、
該通知元の端末が前記変換された入力フォームを受信して前記第二の端末へ転送しても良い。【００１５】
前記送信情報の連携方法において、前記第一の端末が、前記入力フォームの少なくとも一部に対する入力情報の送信先を自端末宛てに変換し、
変換された入力フォームを前記第二の端末へ転送しても良い。【００１６】
前記送信情報の連携方法において、前記入力フォームを変換する際、ユーザが選択した部分を抽出して変換、又はユーザが選択した部分を削除して変換しても良い。【００１７】
前記送信情報の連携方法において、前記入力フォームと共に、入力情報の暗号化の為の鍵情報を送信しても良い。【００１８】
また、本発明は、上記送信情報の連携方法をコンピュータに実行させる送信情報の連携プログラムであっても良い。更に、本発明は、この送信情報の連携プログラムをコンピュータが読み取り可能な記録媒体に記録したものであっても良い。コンピュータに、この記録媒体のプログラムを読み込ませて実行させることにより、その機能を提供させることができる。【００１９】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。【００２０】
また、コンピュータに固定された記録媒体としてハードディスクやＲＯＭ（リードオンリーメモリ）等がある。
【発明の効果】
【００２１】
本発明によれば、商品の購入等のために複数のユーザが連携して情報を送信する技術を提供できる。
【図面の簡単な説明】
【００２２】
【図１】実施形態１としてのオンラインショッピングシステムの概略図
【図２】実施形態１における第一の端末の一例を示す概略図
【図３】第一の端末の機能ブロック図
【図４】サーバの概略図
【図５】実施形態１としての送信情報の連携方法の説明図
【図６】購入フォームの表示例を示す図
【図７】連携方法の変形例１の説明図
【図８】選択用フォームの一例を示す図
【図９】商品を追加する形式の購入フォームの一例を示す図
【図１０】暗号化ボタンを設けた購入フォームの一例を示す図
【図１１】実施形態２における第一の端末の概略図
【図１２】本実施形態２としての送信情報の連携方法の説明図
【図１３】連携方法の変形例４の説明図
【図１４】送信メールの一例を示す図
【発明を実施するための最良の形態】
【００２３】
〈実施形態１〉
図１は、実施形態１としてのオンラインショッピングシステムの概略図である。
本例のオンラインショッピングシステム１０は、複数のユーザが連携して商品購入のための情報をサーバに送信する送信情報の連携システムであり、ネットワークを介して接続したサーバ１と複数の第一の端末２とからなっている。【００２４】
図２は、第一の端末２の一例を示す概略図である。図２に示す端末２は、ＣＰＵ（central processing unit）やメインメモリ等よりなる演算処理部２２、演算処理の為のデータやソフトウェアを記憶した記憶部（ハードディスク）２３、入出力ポート２４、通信制御部（ＣＣＵ：Communication Control Unit）２５等を備えた汎用のコンピュータである。【００２５】
該入出力ポート２４には、キーボードやマウス、ＣＤ−ＲＯＭドライブ等の入力デバイス（入力部）、そして表示装置やプリンター等の出力デバイスが適宜接続される。
ＣＣＵ２５は、ネットワークを介して他のコンピュータと通信を行うものである。【００２６】
記憶部２３には、オペレーティングシステム（ＯＳ）やアプリケーションソフト（送信情報の連携プログラム）がインストールされている。【００２７】
演算処理部２２は、前記ＯＳやアプリケーションプログラムを記憶部２３から適宜読み出して実行し、入出力ポート２４やＣＣＵ２５から入力された情報、及び記憶部２３から読み出した情報を演算処理することにより、受信部や、転送部、再受信部、送信部としても機能する。【００２８】
この受信部としては、サーバ１から商品購入の為の入力フォームを受信する。
転送部としては、前記入力フォーム或は入力フォームの少なくとも一部を変換した転送用フォームを他の端末（第二の端末）３に転送する。【００２９】
再受信部としては、前記入力フォームに対する入力情報を前記第二の端末から受信する。
送信部としては、前記他の端末から受信した入力情報及び前記ユーザの操作に応じた入力情報を前記入力フォームに対する入力情報として前記サーバに送信する。【００３０】
図２に示した端末は、ＣＰＵやメモリ等からなる演算処理部で、本発明の情報送信の連携プログラムを実行して上記各部の機能をソフトウェア的に実現する装置であるが、これに限らず、図３に示すように、入力部や、受信部、転送部、再受信部、送信部として専用に設計された電子回路を備え、これらハードウェアで前記端末と同一の機能を実現する電子機器であっても良い。【００３１】
また、第二の端末３は、第一の端末２と通信し、前記入力フォーム或は転送用フォームを受信し、該フォームに対する入力情報を第一の端末に返信する機能を有した装置である。該機能は、一般的なパーソナルコンピュータや携帯電話、ＰＤＡといった装置のウエブブラウザやメーラーで実現できる。【００３２】
図４は、サーバ１の概略図であり、ネットワークを介してショッピングのウエブサービスを提供する。図４に示すように、サーバ１は、ＣＰＵ（central processing unit）やメインメモリ等よりなる演算処理部１２、演算処理の為のデータやソフトウェアを記憶した記憶部（ハードディスク）１３、入出力ポート１４、通信制御部（ＣＣＵ：Communication Control Unit）１５等を備えた汎用のコンピュータである。【００３３】
該入出力ポート１４には、キーボードやマウス、ＣＤ−ＲＯＭドライブ等の入力デバイス、そして表示装置やプリンター等の出力デバイスが適宜接続される。
ＣＣＵ１５は、ネットワークを介して他のコンピュータと通信を行うものである。【００３４】
記憶部１３には、オペレーティングシステム（ＯＳ）やアプリケーションソフトがインストールされている。また、記憶部１３には、商品の発注情報等を記憶した取引データベースが格納されている。【００３５】
演算処理部１２は、前記ＯＳやアプリケーションプログラムを記憶部１３から適宜読み出して実行し、入出力ポート１４やＣＣＵ１５から入力された情報、及び記憶部１３から読み出した情報を演算処理することにより、送信部や、受信部、変換部としても機能する。
この送信部としては、前記第一の端末からの要求に応じて商品の購入フォーム（入力フォーム）を送信する。【００３６】
受信部としては、前記第一の端末２から前記購入フォームに対する入力情報を受信し、該入力情報を当該商品の発注情報として前記取引データベースに記憶させる。また、前記第一の端末２から該商品の購入フォームの転送を通知された場合、当該商品の予約フラグを前記記憶部１３の取引データベースに記憶させて、当該商品を取り置き状態とする。【００３７】
変換部としては、前記第一の端末２から前記入力フォームの転送を通知された場合、該入力フォームの少なくとも一部に対する入力情報の送信先を当該端末宛てに変換して、転送用フォームを生成する。決済【００３８】
これらの構成のサーバ１及び第一の端末２による送信情報の連携方法について、以下に説明する。図５は、本実施形態としての送信情報の連携方法の説明図である。【００３９】
第一の端末２のユーザが、サーバ１のショッピングサイトを閲覧し、商品の購入を選択した場合、第一の端末２は、サーバ１に購入フォーム（入力フォーム）を要求する（ステップ１、以下Ｓ１のようにも記す）。【００４０】
該要求を受けたサーバ１の送信部は、要求元の端末２に購入フォーム（ＨＴＭＬファイル）を送信する（Ｓ２）。【００４１】
該購入フォームを受信部で受信した第一の端末２は、図６のように表示部上に該購入フォームを表示させる。ユーザがキーボードやマウス等の入力部を操作して入力を行うと、端末２は該購入フォームの各入力欄４１に対する入力情報として受信し、該入力情報を該当の入力欄に表示させる。（Ｓ３）【００４２】
そして、ユーザが他のユーザと連携して入力を行いたい場合、前記入力欄４１の所定の一部（図中＊を付した欄）を入力した後、転送ボタン４２を選択する。選択メニューを表示させて他の端末への転送を選択すると、端末２は、転送を通知する情報（転送通知）と前記入力欄４１の入力情報をサーバ１へ送信する（Ｓ４）。【００４３】
該転送通知を受信したサーバ１は、当該購入フォームに対する入力情報の送信が長時間無い場合でもタイムアウトの対象としない。また、サーバ１は、前記入力情報と共に予約フラグを取引データベースに記憶させる。これにより、該ユーザが購入フォームを転送して他のユーザと検討している間、該入力情報によって特定される商品のステータスを取り置き状態（予約状態）とする。例えば、予約状態となった商品の在庫情報を減算して表示する（Ｓ５）。【００４４】
また、サーバ１の変換部は、前記購入フォームを転送用フォームに変換する（Ｓ６）。例えば、前記購入フォームの送信ボタン４３を選択した場合、入力情報をサーバ１へ送信するが、転送用フォームでは送信ボタン４３を選択した場合、入力情報を第一の端末２へ送信するようにＨＴＭＬの記述を変更する。即ち、通信制御部１５を介して取得した第一の端末２のＩＰアドレスや入力情報として受信した第一の端末２のメールアドレス宛てに送信する記述とする。【００４５】
例えば、メールで返信する場合には、以下のような記述とする。
<FORM action="mailto:第一の端末のメールアドレス?subject=返信メールの件名&body=入力情報" method="POST">
<div align="right"><INPUT type="submit" value="送信"></div></FORM>【００４６】
このとき、件名には、転送したフォームを特定するための識別情報を記述し、本文には変数を記述して各入力項目に対する入力情報を代入させる。
また、変換部は、転送用フォームの各入力欄に前記第一の端末２から受信した入力情報を入力する。【００４７】
次にサーバ１の送信部は、該転送用フォームを前記第一の端末２へ送信する（Ｓ７）。
該転送用フォームを受信した第一の端末２は、該転送用フォームを第二の端末３へ転送する（Ｓ８）。例えば、送信部が、該転送用フォームの受信を検知した場合に、転送先のメールアドレスの入力を促すメッセージを表示し、入力された該転送先へ転送用フォームを転送、即ち転送用フォームを添付したメールを送信する。【００４８】
該メールを受信した第二の端末３のユーザは、添付ファイルをウエブブラウザで表示させて入力欄４１への入力を行い、入力完了後、送信ボタン４３を選択する。このユーザの操作により第二の端末３は、各入力欄４１への入力情報を受け付け（Ｓ９）、該入力情報を第一の端末２へ送信する（Ｓ１０）。【００４９】
例えば、送信ボタン４３を選択した場合のリンク先がＩＰアドレスでされていた場合、ウエブブラウザが該ＩＰアドレス宛てに送信する、即ち第一の端末２に接続して入力情報を送信する。【００５０】
また、送信ボタン４３を選択した場合の動作に前述の例のようにmailto機能が記述されている場合、送信ボタン４３が選択されると図１４のように宛先、件名、本文、送信者が入力された状態で規定のメールソフト（メールハンドラ）が起動され、ユーザが送信を選択すると、メールが送信される。【００５１】
第一の端末２の再受信部は、第二の端末３から該入力情報を受信すると、入力情報を購入フォームの各入力欄に対して入力し、表示させる（Ｓ１１）。【００５２】
そして、ユーザが入力された入力情報を確認し、送信ボタン４３を選択すると、第一の端末２の送信部は、各入力情報と共に発注を通知する情報（発注通知）をサーバ１へ送信する（Ｓ１２）。【００５３】
該発注通知を受信したサーバは、各入力情報をデータベースに記憶させ、当該商品の予約フラグを更新し、ステータスを予約状態から受注状態とする（Ｓ１３）。【００５４】
なお、上記の実施形態では、二つの端末間で入力フォームを転送する例を示したが、入力フォーム或いは転送用フォームを受信した第二の端末３が第一の端末２と同じ機能を有している場合、受信したフォームを更に他の端末へ転送しても良い。【００５５】
このように、本実施形態によれば、入力フォームを複数のユーザ間で連携して入力できるので、プレゼントを購入する場合や、共用する物を購入する場合に複数のユーザ（当事者）が直接入力できる。【００５６】
〈変形例１〉
図７は、変形例１の説明図である。上述の実施形態１では、購入フォームと転送フォームとで同じ表示内容としていたが、本変形例１では、第一の端末２で表示内容を選択できるようにした。なお、その他の構成は前述の実施形態１と同一である。【００５７】
前述と同様にステップ１−４を行った後、本変形例１のサーバ１は、第一の端末２から転送通知と入力情報を受信し、該入力情報と共に予約フラグを取引データベースに記憶させると（Ｓ５）、図８に示すような選択用フォームに受信した入力情報を入力して第一の端末２へ送信する（Ｓ６１）。【００５８】
この選択用フォームは、金額欄５１や、関連商品の表示欄５２、割引情報の表示欄５３など、所定の情報単位毎に選択肢（本例ではチェックボックス）５４を付加したしたものである。該選択用フォームは、購入フォームと共に予め記憶部１３に記憶させておいても良いし、変換部が購入フォームに選択肢５４を付加する変換を行って生成しても良い。更に、変換部は、第一端末から入力情報を受信している入力欄に選択肢５４を付加する変換を行っても良い。【００５９】
第一の端末２は、該選択用フォームを受信して表示部に表示する（Ｓ６２）。そしてユーザが転送用フォームから削除したい欄のチェックボックスを選択し、決定ボタン５５を選択すると、第一の端末２は、何れのチェックボックスが選択されたか否かを示す情報（選択情報）をサーバ１に送信する（Ｓ６３）。【００６０】
該選択情報を受信したサーバ１の変換部は、この選択情報に基づき購入フォームのうち、チェックされた欄を削除し、前述のステップ６と同様に転送用フォームに変換する（Ｓ６４）。【００６１】
そして、サーバ１の送信部が、該転送用フォームを前記第一の端末２へ送信し、ステップ７以降の処理を前述と同様に行う。【００６２】
このように本変形例１によれば、第一の端末２のユーザが所望の欄を削除して第二の端末３のユーザへ転送用フォームを転送できるので、予算以上の関連商品の表示や金額など任意の情報を隠すことができる。【００６３】
なお、本変形例１では、ユーザが選択した情報を削除したが、ユーザが選択した情報を残す構成としても良い。【００６４】
〈変形例２〉
前記実施形態１では、１つの商品に対する購入フォームの例を示したが、本変形例２では、図９のように、各ユーザが購入する商品を追加する形式の購入フォーム（入力フォーム・転送用フォーム）とした。なお、この場合、サーバ１は、予約フラグの記憶、即ち取り置く処理を省略しても良い。この他の構成は、前述の実施形態１或は変形例１と同じである。【００６５】
第一の端末２が購入フォームを受信し（Ｓ３）、ユーザが入力欄４１に購入する商品を入力して転送ボタンを選択すると、第一の端末は、端末２は、転送を通知する情報（転送通知）と前記入力欄４１の入力情報をサーバ１へ送信する（Ｓ４）。【００６６】
該転送通知を受信したサーバ１の変換部は、前述の実施形態１と同様に前記購入フォームを転送用フォームに変換し（Ｓ６）、該転送用フォームを前記第一の端末２へ送信し、ステップ７以降の処理を前述と同様に行う。【００６７】
また、入力フォーム或いは転送用フォームを受信した第二の端末３が第一の端末２と同じ機能を有している場合、受信したフォームを更に他の端末へ転送しても良い。【００６８】
このように、本変形例２によれば、複数のユーザで購入フォーム（入力フォーム・転送用フォーム）をリレーできるので、商品を共同購入する際の入力が容易になる。例えば、配送先や決済情報を第一の端末のユーザのみが、入力すれば他のユーザの入力処理を省略できる。また、菓子材料や手芸材料のように少量多品種で、単独で購入すると送料が嵩んで割に合わない商品をまとめて共同購入することができる。【００６９】
〈変形例３〉
前記実施形態１では、第二の端末３と第一の端末２との間で入力情報を暗号化せずに送信したが、本変形例では、入力情報を暗号化して送信する。【００７０】
本変形例３のサーバ１は、送信部が入力フォーム或いは転送用フォームを第一の端末２へ送信する際、鍵情報を送信し、第二の端末３が該鍵情報を用いて入力情報を暗号化して返信する。【００７１】
例えば、図１０に示すように、暗号化ボタンを設けて、該ボタンが選択された場合に、入力情報としての文字コードを所定関数で変換するように、入力フォーム或いは転送フォームにＨＴＭＬで記述する。このとき入力欄４１には、変換したコードに代えて入力済みを示す文字“＊＊＊＊＊＊“等を表示させても良い。【００７２】
これにより第一の端末２は、ユーザによって選択された金額や決済情報等の情報を暗号化して第二の端末３に転送用フォームを送信できる。同じく、第二の端末３は、ユーザによって選択された不都合な情報を暗号化して第一の端末２へ返信できる。【００７３】
〈実施形態２〉
図１１は、実施形態２のオンラインショッピングシステムを構成する第一の端末２０の概略図である。本実施形態２は、前述の実施形態と比べ、購入フォームの変換を第一の端末で行う点が異なっている。なお、その他の構成は同じであるので、同一に要素には同符号を付すなどして重複する説明を省略する。【００７４】
第一の端末２０は、ＣＰＵ（central processing unit）やメインメモリ等よりなる演算処理部２２、演算処理の為のデータやソフトウェアを記憶した記憶部（ハードディスク）２３、入出力ポート２４、通信制御部（ＣＣＵ：Communication Control Unit）２５等を備えた汎用のコンピュータである。【００７５】
演算処理部１２は、前記ＯＳやアプリケーションプログラムを記憶部１３から適宜読み出して実行し、入出力ポート１４やＣＣＵ１５から入力された情報、及び記憶部１３から読み出した情報を演算処理することにより、受信部や、転送部、再受信部、送信部、編環部としても機能する。【００７６】
この変換部としては、入力フォームの少なくとも一部に対する入力情報の送信先を当該端末宛てに変換して、転送用フォームを生成する。【００７７】
一方、サーバ１は、図４の構成から変換部を削除した構成である。即ち、本実施形態２のサーバ１は、第一の端末２と接続し、ウエブページ（入力フォーム）を送信する送信部と、該ウエブページに対する入力情報を該第一の端末２から受信する受信部を有した一般的なウエブサーバでも良い。【００７８】
これらの構成のサーバ１及び第一の端末２０による送信情報の連携方法について、以下に説明する。図１２は、本実施形態２としての送信情報の連携方法の説明図である。【００７９】
第一の端末２０のユーザが、サーバ１のショッピングサイトを閲覧し、商品の購入を選択した場合、第一の端末２０は、サーバ１に購入フォーム（入力フォーム）を要求する（ステップ１、以下Ｓ１のようにも記す）。【００８０】
該要求を受けたサーバ１の送信部は、要求元の端末２０に購入フォーム（ＨＴＭＬファイル）を送信する（Ｓ２）。【００８１】
該購入フォームを受信部で受信した第一の端末２０は、図６のように表示部上に該購入フォームを表示させる。ユーザがキーボードやマウス等の入力部を操作して入力を行うと、端末２０は該購入フォームの各入力欄４１に対する入力情報として受信し、該入力情報を該当の入力欄に表示させる。（Ｓ３）【００８２】
そして、ユーザが他のユーザと連携して入力を行いたい場合、選択メニューを表示させて、転送を選択する。該転送が指示されると、端末２０の変換部は、前記購入フォームを転送用フォームに変換する（Ｓ６０）。例えば、前記購入フォームの送信ボタン４３を選択した場合、入力情報をサーバ１へ送信するが、転送用フォームでは送信ボタン４３を選択した場合、入力情報を第一の端末２０へ送信するようにＨＴＭＬの記述を変更する。即ち、自端末２０のＩＰアドレスやメールアドレス宛てに送信する記述とする。【００８３】
例えば、メールで返信する場合には、以下のような記述とする。
<FORM action="mailto:第一の端末のメールアドレス?subject=返信メールの件名&body=入力情報" method="POST">
<div align="right"><INPUT type="submit" value="送信"></div></FORM>【００８４】
このとき、件名には、転送したフォームを特定するための識別情報を記述し、本文には変数を記述して各入力項目に対する入力情報を代入させる。
また、変換部は、既に購入フォームに入力された入力情報がある場合には、該入力情報を転送用フォームの各入力欄に入力する。【００８５】
そして、第一の端末２０の送信部は、該転送用フォームを第二の端末３へ転送する（Ｓ８１）。例えば、該転送が指示された場合、送信部は、転送先のメールアドレスの入力を促すメッセージを表示し、ユーザの操作によって該メールアドレスが入力された場合、転送用フォームを添付して該メールアドレス宛てにメールを送信する。【００８６】
そして、第二の端末３、第一の端末２及びサーバ１は、前述の実施形態１と同様にステップ９以降の処理を行う。【００８７】
このように、本実施形態によれば、入力フォームを複数のユーザ間で連携して入力できるので、プレゼントを購入する場合や、共用する物を購入する場合に複数のユーザ（当事者）が直接入力できる。【００８８】
また、本実施形態２によれば、第一の端末２が購入フォームの変換を行うので、一般のショッピングサイトの購入フォームであっても他の端末へ転送できる。【００８９】
〈変形例４〉
図１３は、変形例４の説明図である。上述の実施形態２では、購入フォームと転送フォームとで同じ表示内容としていたが、本変形例３では、第一の端末２０で表示内容を選択できるようにした。なお、その他の構成は前述の実施形態２と同一である。【００９０】
前述と同様にステップ１−３を行った後、ユーザによって転送が指示されると、本変形例３における第一の端末２０の変換部は、図８に示すような選択用フォームに受信した入力情報を入力して表示する（Ｓ６０１）。【００９１】
この選択用フォームは、金額欄５１や、関連商品の表示欄５２、割引情報の表示欄５３など、所定の情報単位毎に選択肢（本例ではチェックボックス）５４を付加したしたものである。該選択用フォームは、購入フォームと共に予め記憶部１３に記憶させておいても良いし、変換部が購入フォームに選択肢５４を付加する変換を行って生成しても良い。更に、変換部は、第一端末から入力情報を受信している入力欄に選択肢５４を付加する変換を行っても良い。【００９２】
そして、ユーザが転送用フォームから削除したい欄のチェックボックスを選択し、決定ボタン５５を選択すると、第一の端末２０の変換部は、この選択情報に基づき購入フォームのうち、チェックされた欄を削除し、前述のステップ６０と同様に転送用フォームに変換する（Ｓ６０２）。【００９３】
次いで、前記第一の端末２０の送信部が該転送用フォームを第二の端末３へ送信し（Ｓ８１）、ステップ９以降の処理を前述と同様に行う。【００９４】
このように本変形例４によれば、第一の端末２０のユーザが所望の欄を削除して第二の端末３のユーザへ転送用フォームを転送できるので、予算以上の関連商品の表示や金額など、任意の情報を隠すことができる。【００９５】
なお、本変形例４では、ユーザが選択した情報を削除したが、ユーザが選択した情報を残す構成としても良い。【００９６】
〈変形例５〉
前記実施形態２では、１つの商品に対する購入フォームの例を示したが、本変形例５では、図９のように、各ユーザが購入する商品を追加する形式の購入フォーム（入力フォーム・転送用フォーム）とした。この他の構成は、前述の実施形態２或は変形例４と同じである。【００９７】
第一の端末２が購入フォームを受信し（Ｓ３）、ユーザが入力欄４１に購入する商品を入力して転送ボタンを選択すると、第一の端末２０の変換部は、前述の実施形態１と同様に前記購入フォームを転送用フォームに変換し（Ｓ６０又は６０２）、該転送用フォームを前記第二の端末３へ送信し、以降のステップを前述と同様に行う。【００９８】
また、入力フォーム或いは転送用フォームを受信した第二の端末３が第一の端末２０と同じ機能を有している場合、受信したフォームを更に他の端末へ転送しても良い。【００９９】
このように、本変形例５によれば、複数のユーザで購入フォーム（入力フォーム・転送用フォーム）をリレーできるので、商品を共同購入する際の入力が容易になる。【０１００】
〈その他〉
本発明は、上述の図示例にのみ限定されるものではなく、本発明の要旨を逸脱しない範囲内において種々変更を加え得ることは勿論である。また、上記構成要素は可能な限り組み合わせることができる。
なお、上記実施形態では、ショッピングシステムの例を示したが、本発明はこれに限らず、ウエブサイトへの問合せや、行政機関のウエブサイトへの電子手続の申請など、入力フォームによって入力情報をサーバに送信するシステムであれば良い。
【図１】
2009066394.tif 000003
【図２】
2009066394.tif 000004
【図３】
2009066394.tif 000005
【図４】
2009066394.tif 000006
【図５】
2009066394.tif 000007
【図６】
2009066394.tif 000008
【図７】
2009066394.tif 000009
【図８】
2009066394.tif 000010
【図９】
2009066394.tif 000011
【図１０】
2009066394.tif 000012
【図１１】
2009066394.tif 000013
【図１２】
2009066394.tif 000014
【図１３】
2009066394.tif 000015
【図１４】
2009066394.tif 000016
【国際調査報告】
2009066394.tif 000017
2009066394.tif 000018